(57)【要約】【課題】ファンの特性を利用し風量一定制御を行う場合には、低圧高風量時と高圧少風量の回転数を検知して行うのが通常であるが、従来の多翼ファンでは、低圧高風量時と高圧少風量の回転数の差が大きくなく、またファン効率も悪いという課題があり、回転数差を大きくし、ファン効率を良くすることを目的とする。【解決手段】主板の直径Ｄは、吸込口側ブレードおよび吸込口側と反対側に配設されたブレードの外径Ｄ２より小さく、吸込口側ブレードおよび吸込口側と反対側に配設されたブレードの内径Ｄ１より大きく、かつ、前記吸込口側ブレード８の出口角である出口角β２は軸方向に順次異なり、かつ吸込口と反対側のブレード９の出口角である出口角β４は、上記吸込口側ブレード８の主板部での出口角β６より小さくし、風量一定制御を容易にし、ファン効率の良い多翼ファン１が提供できる。【選択図】図１
2008031982.tif 000002
【特許請求の範囲】
【請求項１】
片側にベルマウス状の吸込口と吐出口とを備えた渦巻状のケーシングと、このケーシング内部に電動機などの駆動装置の回転軸に垂直な主板と、この主板の吸込口側とその反対側に配設された複数のブレードと、このブレードの軸方向の両側または吸込口側またはその反対側のブレード外周部にリング状の側板と、前記主板に吸込口側ブレードから吸込口と反対側ブレードに空気が流通するための通風穴とを備え、且つ、前記主板の直径は、前記ブレードの外径より小さく内径より大きく、かつ吸込口側ブレードの出口角および前記吸込口と反対側のブレードの出口角は、いずれか一方または両方が、軸方向に順次異なることを特徴とする多翼ファン。
【請求項２】
吸込口側ブレードの出口角は、軸方向に順次異なり吸込口と反対側のブレードの出口角は軸方向に変化させないことを特徴とする請求項１記載の多翼ファン。
【請求項３】
吸込口側ブレードの出口角は、軸方向に順次異なり、主板部で最大で、かつ吸込口側に向かって順次小さく、吸込口と反対側のブレードの出口角は、上記吸込口側ブレードの主板部での出口角より小さいことを特徴とする請求項１あるいは２記載の多翼ファン。
【請求項４】
吸込口と反対側ブレードの入口角は、吸込口側ブレードの入口角より小さいことを特徴とする請求項１〜３のいずれかに記載の多翼ファン。
【請求項５】
吸込口と反対側ブレードの枚数は、吸込口側ブレードの枚数より少ないことを特徴とする請求項１〜４のいずれかに記載の多翼ファン。
【請求項６】
吸込口側ブレードと吸込口と反対側のブレードとで、内径を上下で異なった大きさとしたことを特徴とする請求項１〜５のいずれかに記載の多翼ファン。
【請求項７】
ブレードの外径側で、主板の直径以上の部分で、遠心力により出口角が小さくなるように変形するブレード材質を使用したことを特徴とする許請求項１〜６のいずれかに記載の多翼ファン。
【発明の詳細な説明】
【技術分野】
【０００１】
本発明は、主に天井に設置され、換気送風機器として使用される多翼ファンに関するものである。
【背景技術】
【０００２】
従来、この種の多翼ファンは、ベルマウス状の吸込み口を有するオリフィスを備えたものが知られている（例えば、特許文献１参照）。
【０００３】
以下、その多翼ファンについて図１６、図１７を参照しながら説明する。
【０００４】
図に示すように、多翼ファン１０１は、主板１０２に開口部１０３を設け、前記主板１０２の側板１０４側の上部ブレード１０５と、前記主板１０２の側板１０４と反対側の下部ブレード１０６とは断面形状が異なる。
【０００５】
上記構成において、多翼ファン１０１が回転すると、吸込空気は、オリフィス１０７の吸込孔１０８を通り、低圧高風量時には、下部ブレード１０６で昇圧され、高圧少風量時には上部ブレード１０５で昇圧される。このとき、下部ブレード１０６は、上部ブレード１０５と入口角および出口角の一方または両方が異なっている。これにより、高性能な多翼ファンが得られる。
【特許文献１】特許第３５０７７５８号公報
【発明の開示】
【発明が解決しようとする課題】
【０００６】
このような従来の多翼ファンで、ファンの特性を利用し風量一定制御を行う場合には、低圧高風量時と高圧少風量の回転数や回転数に依存する電圧や電流などを検知して行うのが通常であるが、低圧高風量時と高圧少風量の回転数の差が大きくなく、風量一定制御を行うには、適していない。またファン効率も悪いという課題があり、回転数差を大きくすることと、ファン効率を良くすることが要求されている。
【０００７】
本発明は、このような従来の課題を解決するものであり、低圧高風量時と高圧少風量の回転数の差を大きくし、風量一定制御を容易にすることができ、かつ効率の良い多翼ファンを提供することを目的としている。
【課題を解決するための手段】
【０００８】
本発明の多翼ファンは上記目的を達成するために、片側にベルマウス状の吸込口と吐出口とを備えた渦巻状のケーシングと、このケーシング内部に電動機などの駆動装置の回転軸に垂直な主板と、この主板の吸込口側とその反対側に配設された複数のブレードと、このブレードの軸方向の両側または吸込口側またはその反対側のブレード外周部にリング状の側板と、前記主板に吸込口側ブレード側から吸込口と反対側のブレード側に空気が流通するための通風穴とを備え、且つ、前記主板の直径は、前記ブレードの外径より小さく内径より大きく、かつ吸込口側ブレードの出口角および前記吸込口と反対側のブレードの出口角は、いずれか一方または両方が、軸方向に順次異なることを特徴とする多翼ファンとしたものである。
【０００９】
この手段により、低圧高風量時と高圧少風量の回転数の差を大きくし、風量一定制御を容易にすることができる多翼ファンが得られる。
【００１０】
また他の手段は、吸込口側ブレードの出口角は、軸方向に順次異なり吸込口と反対側のブレードの出口角は軸方向に変化させないことを特徴とする多翼ファンとしたものである。
【００１１】
この手段により、低圧高風量時と高圧少風量の回転数の差を大きくし、風量一定制御を容易にすることができ、かつ効率の良い多翼ファンが得られる。
【００１２】
また他の手段は、吸込口側ブレードの出口角は、軸方向に順次異なり、主板部で最大で、かつ吸込口側に向かって順次小さく、吸込口と反対側のブレードの出口角は、上記吸込口側ブレードの主板部での出口角より小さい多翼ファンとしたものである。
【００１３】
この手段により、低圧高風量時と高圧少風量の回転数の差を大きくし、風量一定制御を容易にすることができ、かつ効率の良い多翼ファンが得られる。
【００１４】
また他の手段は、吸込口と反対側ブレードの入口角は、吸込口側ブレードの入口角より小さいことを特徴とした多翼ファンとしたものである。
【００１５】
この手段により、低圧高風量時と高圧少風量の回転数の差を大きくし、風量一定制御を容易にすることができ、かつ効率の良い多翼ファンが得られる。
【００１６】
また他の手段は、吸込口と反対側ブレードの枚数は、吸込口側ブレードの枚数より少ないことを特徴とした多翼ファンとしたものである。
【００１７】
この手段により、低圧高風量時と高圧少風量の回転数の差を大きくし、風量一定制御を容易にすることができ、かつ効率の良い多翼ファンが得られる。
【００１８】
また他の手段は、吸込口側ブレードと吸込口と反対側のブレードとで、内径を主板の軸方向の上下で異なった大きさとしたことを特徴とした多翼ファンとしたものである。
【００１９】
この手段により、低圧高風量時と高圧少風量の回転数の差を大きくし、風量一定制御を容易にすることができる多翼ファンが得られる。
【００２０】
また他の手段は、ブレードの外径側で、主板の直径以上の部分で、遠心力により変形するブレード材質を使用したことを特徴としたものである。
【００２１】
この手段により、低圧高風量時と高圧少風量の回転数の差を大きくし、風量一定制御を容易にすることができる多翼ファンが得られる。
【発明の効果】
【００２２】
本発明によれば、低圧高風量時と高圧少風量の回転数の差を大きくし、風量一定制御を容易にすることができ、かつ効率の良い多翼ファンを提供することができる。
【発明を実施するための最良の形態】
【００２３】
本発明の請求項１記載の発明は、片側にベルマウス状の吸込口と吐出口とを備えた渦巻状のケーシングと、このケーシング内部に電動機などの駆動装置の回転軸に垂直な主板と、この主板の吸込口側とその反対側に配設された複数のブレードと、このブレードの軸方向の両側または吸込口側またはその反対側のブレード外周部にリング状の側板と、前記主板に吸込口側ブレード側から吸込口と反対側のブレード側に空気が流通するための通風穴とを備え、且つ、前記主板の直径は、前記ブレードの外径より小さく内径より大きく、かつ吸込口側ブレードの出口角および前記吸込口と反対側のブレードの出口角は、いずれか一方または両方が、軸方向に順次異なることを特徴とする多翼ファンとしたものである。
【００２４】
低圧時に空気流が吸込口と反対側に流れたとき、吸込口側ブレードの主板部での出口角は、吸込口側ブレードの吸込口側の出口角と主板側の出口角の平均出口角より大きいので、負荷は大きくなる。従って、電動機を平均出口角で一定のファンと同じ電圧で回転させた時の回転数は、平均出口角で一定のファンより小さくなる。また、高圧時に空気流が吸込口側に流れたとき、吸込側ブレードの出口角は平均出口角より小さいので、負荷は小さくなる。従って、電動機を平均出口角で一定のファンと同じ電圧で回転させた時の回転数は、平均出口角で一定の時のファンの回転数より大きくなる。
【００２５】
この結果、低圧時と高圧時の回転数の差を大きくし、風量一定制御を容易にすることができ、かつ効率の良い多翼ファンとできるという作用を有する。
【００２６】
また、片側にベルマウス状の吸込口と吐出口とを備えた渦巻状のケーシングと、このケーシング内部に電動機などの駆動装置の回転軸に垂直な主板と、この主板の吸込口側とその反対側に配設された複数のブレードと、このブレードの軸方向の両側または吸込口側またはその反対側のブレード外周部にリング状の側板と、前記主板に吸込口側ブレードから吸込口と反対側ブレードに空気が流通するための通風穴とを備え、且つ、前記主板の直径は、前記ブレードの外径より小さく内径より大きく、かつ吸込口側ブレードの出口角は、軸方向に順次異なり吸込口と反対側のブレードの出口角は軸方向に変化させない多翼ファンとしたものである。
【００２７】
この結果、低圧高風量時には負荷が大きく、高圧少風量時には負荷が小さくなり、低圧時と高圧時の回転数の差を大きくし、風量一定制御を容易にすることができ、かつ効率の良い多翼ファンとできるという作用を有する。
【００２８】
また、吸込口側ブレードの出口角は、軸方向に順次異なり、主板部で最大で、かつ吸込口側に向かって順次小さく、吸込口と反対側のブレードの出口角は、上記吸込口側ブレードの主板部での出口角より小さい多翼ファンとしたものである。
【００２９】
低圧高風量時には、流れが吸込口側ブレードの主板側で最も多く出口角も大きくしてあり、吸込口側ブレードおよび吸込口と反対側ブレードでは、流れが少ないので、出口角も小さくしてある。したがって、ブレードに与えられる負荷も、低圧高風量時には大きくなり、この結果回転数が下がる。高圧少風量時には、流れが吸込口側に行き出口角が小さいところを通過するので負荷が小さくなり回転数が大きくなる。
【００３０】
この結果、低圧時と高圧時の回転数の差を大きくし、風量一定制御を容易にすることができ、かつ効率の良い多翼ファンとすることができるという作用を有する。
【００３１】
また、吸込口と反対側ブレードの入口角は、吸込口側ブレードの入口角より小さくした多翼ファンとしたものであり、低圧時と高圧時の回転数の差を大きくし、風量一定制御を容易にすることができ、かつ効率の良い多翼ファンとすることができるという作用を有する。
【００３２】
また、吸込口と反対側ブレードの枚数は、吸込口側ブレードの枚数より少なくした多翼ファンとしたものであり、低圧時と高圧時の回転数の差を大きくし、風量一定制御を容易にすることができ、かつ効率の良い多翼ファンとすることができるという作用を有する。
【００３３】
また、吸込口側ブレードと吸込口と反対側ブレードとで、内径を主板の軸方向の上下で異なった大きさとした多翼ファンとしたものであり、低圧高風量時には負荷が大きく、高圧少風量時には負荷が小さくし、低圧時と高圧時の回転数の差を大きくし、風量一定制御を容易にするという作用を有する。
【００３４】
また、ブレードの外径側で、かつ主板の直径以上の部分で、遠心力により出口角が小さくなるように変形するブレード材質を使用した多翼ファンとしたものであり、低圧時と高圧時の回転数の差をより大きくし、風量一定制御がより容易という作用を有する。
【００３５】
以下、本発明の実施の形態について図面を参照しながら説明する。
【００３６】
（実施の形態１）
図１は本発明の実施の形態１の多翼ファンを示す側面概略図、図２はその斜視図、図３はそのブレードの詳細図、図４はその正面図である。
【００３７】
図１〜図４に示すように、多翼ファン１は、片側にベルマウス状の吸込口２と吐出口３とを備えた渦巻状のケーシング４と、このケーシング４の内部に電動機５などの駆動装置の回転軸６に垂直な主板７と、この主板７の吸込口２側に配設された複数の吸込口側ブレード８と、吸込口側と反対側に配設された複数のブレード９を有し、吸込口側ブレード８またはその反対側のブレード外周部にリング状の側板１０と、前記主板７に、吸込口側ブレード８側から吸込口側と反対側に配設された複数のブレード９側に空気が流通するために扇型の形状にして設けた通風穴１１とを備えている。本実施の形態においては、吸込口側ブレード８と吸込口側と反対側に配設された複数のブレード９の内外径は、共に同一としている。そして、前記主板の直径Ｄは、前記吸込口側ブレード８および吸込口側と反対側に配設された複数のブレード９の外径Ｄ２より小さくその吸込口側ブレードおよび吸込口側と反対側に配設されたブレードの内径Ｄ１より大きく設定されている。
【００３８】
なお上述のリング状の側板１０は、吸込口側ブレード８の吸込口２側に配置されるものに限定されるものではない。吸込口側と反対側に配設された複数のブレード９に配置される場合、または吸込口側ブレード８および吸込口側と反対側に配設された複数のブレード９の両方に配置される場合もある。
【００３９】
ここで、各ブレードの出口角について、下記の通り定義する。出口角とは、回転軸６に垂直な面による断面上で、ブレード外周円とブレードの中心線の交点での、ブレードの中心線の延長直線と外周円の回転方向逆側との角度である。
【００４０】
前記吸込口側ブレード８の出口角β２は軸方向に順次変化させ、吸込口２側では出口角β２であり、主板７側では出口角β６であり、出口角β６は出口角β２より大きく設定されている。吸込口２側の出口角β２と主板７側の出口角β６の平均である平均出口角β０は、ブレードの出口角が軸方向に一定な通常の多翼ファンに一般的に採用される１５０度より１６０度の範囲である。
【００４１】
また、吸込口側と反対側に配設された複数のブレード９の出口角β４は軸方向に変化させないようにしており、出口角β４は、吸込口側ブレード８の主板部での出口角β６より小さく設定されている。
【００４２】
上記構成において、電動機５により多翼ファン１が回転方向Ｒの方向に回転すると、空気流は吸込口２より多翼ファン１に入り、吸込口側ブレード８および吸込口側と反対側に配設された複数のブレード９により昇圧される。低圧高風量時には吸込んだ空気流は、吸込口側ブレード８の主板側部に流れ、高圧少風量時には、吸込側に近い吸込口側ブレード８に流れる。上記通風穴１１の形状は、扇型に限定されるものではなく、開口部があれば、空気流はブレードの働きに応じて、通風穴１１を通過することができる。
【００４３】
通常、ファンを小型の電動機５につけて同電圧で運転したとき、低圧時には多翼ファン１から受ける負荷は大きいので回転数が下がり、高圧時にはファンから受ける負荷は小さいので回転数が低圧時より上昇する。この回転数を検知して、ファンにかかる圧力状態を判断し、低圧時と判断した場合には、電動機５の電圧を低下させ、高圧時と判断した場合には、電動機５の電圧を上昇させる。これにより圧力の状態にかかわらず、希望の風量となるように設定する。このように圧力の状態を回転数でセンシングするので、低圧時と高圧時の回転数の差は、できるだけ大きい方が、風量一定制御がしやすい。
【００４４】
なお、検知対象が回転数でなく、回転数に依存する電圧や電流の場合もある。
【００４５】
一方、多翼ファン１内に吸い込んだ空気流は、通常、高圧時には側板１０側に流れ、低圧高風量には主板７側に流れる。しかし主板７の通風穴１１は空気流が通りにくいので、主板７の吸込口側部が最も空気流が多く流れることになる。
【００４６】
次に、吸込口側ブレード８の出口角β２、β６、及び吸込口側と反対側に配設された複数のブレード９の出口角β４について考察する。低圧時に空気流が吸込口と反対側に流れたとき、吸込口側ブレード８の主板７側での出口角β６は平均出口角β０より大きいので、負荷は大きくなる。従って、電動機５を平均出口角β０で一定のファンと同じ電圧で回転させた時の回転数は、平均出口角β０で一定のファンより小さくなる。また、高圧時に空気流が側板１０側に流れたとき、吸込口側ブレード８の出口角β２は平均出口角β０より小さいので、負荷は小さくなる。従って、電動機５を平均出口角β０で一定のファンと同じ電圧で回転させた時の回転数は平均出口角β０で一定のファンの回転数より大きくなる。
【００４７】
低圧力時に空気流が吸込口と反対側に流れたとき、主板７の通風穴１１を通過して吸込口側と反対側に配設された複数のブレード９に達する空気流は少なく、それに応じて、吸込口と反対側のブレードの出口角である出口角β４は、吸込口側ブレード８の主板部での出口角である出口角β６より小さくしている。これにより、最も空気流の多いところでは負荷の大きいブレード出口角とし、空気流の少ないところでは、小さいブレード出口角としているので効率のよい多翼ファンとなる。
【００４８】
ここで電動機５の駆動電圧は、通常の商用電圧であり、例えば１００Ｖ、あるいは２００Ｖである。
【００４９】
この結果、低圧時と高圧時の同一電圧、同一電動機で駆動したときの回転数差は大きくなり、風量一定制御が容易となり、かつ効率の良い多翼ファンとすることができる。
【００５０】
なお、吸込口側と反対側に配設された複数のブレード９の出口角β４は一定としたが、吸込口側ブレード８と同様に軸方向に順次変化させる構成とすれば、さらに回転数の差が大きくなり、風量一定制御が容易となり、かつ効率の良い多翼ファンとすることができる。
【００５１】
またなお、吸込口側ブレード８の出口角が一定で、吸込口側と反対側に配設された複数のブレード９の出口角β４を軸方向に順次変化させる構成とすれば、効果は劣るが、回転数の差が大きくなり、風量一定制御が容易となり、かつ効率の良い多翼ファンとすることができる。
【００５２】
（実施の形態２）
図５は本発明の実施の形態２における多翼ファンを示す側面概略図、図６はその斜視図、図７はそのブレード詳細図である。実施の形態１と同一部分は同一番号を付し、詳細な説明は省略する。
【００５３】
ここで、各ブレードの入口角について、下記の通り定義する。入口角とは、回転軸に垂直な面による断面上で、ブレード内周円とブレードの中心線の交点での、ブレードの中心線の延長直線と内周円の回転方向側との角度である。
【００５４】
図５〜図７に示すように、吸込口側ブレード８の入口角β１および吸込口側と反対側に配設された複数のブレード９の入口角β３はどちらも軸方向に変化なく一定としている。また、吸込口側ブレード８の入口角β１より吸込口側と反対側に配設された複数のブレード９の入口角β３の方が小さく設定している。その他は、実施の形態１と同じである。
【００５５】
上記構成において、電動機５により多翼ファン１が回転方向Ｒの方向に回転すると、吸込口２より吸い込まれた空気流は多翼ファン１に入り、吸込口側ブレード８および吸込口側と反対側に配設された複数のブレード９により昇圧される。低圧高風量時には吸込んだ空気流は、吸込口側ブレード８の主板側部に流れ、高圧少風量時には、吸込口側ブレード８の吸込側に近い部分に流れる。通風穴１１の形状は、扇型でなくても開口部があれば、空気流はブレードの働きに応じて、通風穴１１を通過することができる。しかし主板７の通風穴１１は、空気流が通りにくいので、主板７の吸込口側部が最も空気流が多く流れることになる。
【００５６】
ここで吸込口側ブレード８の入口角β１は、７０度より９０度の範囲に設定されている。また、吸込口側と反対側に配設された複数のブレード９の入口角β３は、５０度より８０度の範囲であり入口角β１より小さく設定されている。前述の通り、入口角β１も入口角β３も軸方向に変化なく一定なので、軸方向に成型することが可能となる。
【００５７】
主板７の通風穴１１より吸込口側と反対側に配設された複数のブレード９に達する空気流は、低圧および高圧のいずれの場合にも少なく、それに応じて、吸込口側と反対側に配設された複数のブレード９の出口角である出口角β４と入口角β３は、それぞれ吸込口側ブレード８の主板７側での出口角β６と入口角β１より小さい。従って、最も流れの多い吸込口側ブレード８の主板７側では負荷の大きいブレードの入口角、出口角とし、流れの少ない吸込口側ブレード８の吸込側に近い部分や吸込口側と反対側に配設された複数のブレード９では、負荷の小さいブレード出口角とし、さらに吸込口側と反対側に配設された複数のブレード９では負荷の小さい入口角としているので効率のよい多翼ファンとなる。
【００５８】
ここで同電圧の電圧は、通常の商用電圧であり、例えば１００Ｖ、あるいは２００Ｖである。
【００５９】
この結果、低圧時と高圧時の同一電圧、同一電動機での回転数差は大きくなり、風量一定制御が容易となり、かつ効率の良い多翼ファンとすることができる。
【００６０】
（実施の形態３）
図８は本発明の実施の形態３における多翼ファンを示す側面概略図、図９はその斜視図、図１０はそのブレード詳細図である。実施の形態１または２と同一部分は同一番号を付し、詳細な説明は省略する。
【００６１】
図８〜図１０に示すように、吸込口側と反対側に配設された複数のブレード９の枚数は、吸込口側ブレード８の枚数より少なくしている。その他は、実施の形態１と同じである。
【００６２】
上記構成において、電動機５により多翼ファン１が回転方向Ｒの方向に回転すると、空気流は、吸込口２より多翼ファン１に入り、吸込口側ブレード８および吸込口側と反対側に配設された複数のブレード９により昇圧される。低圧高風量時には吸込んだ空気流は、吸込口側ブレード８の主板側部に流れ、高圧少風量時には、吸込口側ブレード８の吸込側に近い部分に流れる。通風穴１１の形状は扇型に限定されるものではなく、開口部があれば、空気流はブレードの働きに応じて、通風穴１１を通過することができる。
【００６３】
一方、多翼ファン１内に吸込まれた空気流は、高圧時には側板１０側に流れ、低圧時には、空気は主板７側に流れる。しかし主板７の通風穴１１は、空気流が通りにくいので、主板７の吸込口側部が最も空気流が多く流れることになる。
【００６４】
ここで、吸込口側と反対側に配設された複数のブレード９の枚数は通常の一般的な枚数４０〜６０枚より小さく２０〜４０枚に設定されている。従って、空気流の量に応じて、低圧時も負荷は小さくなり、ファン効率がよくなる。低圧時と高圧時とで、同一電動機での回転数差は大きくなり、風量一定制御が容易となる効果は、主板７より吸込口側ブレード８が軸方向にひねられているので、同じである。
【００６５】
（実施の形態４）
図１１は本発明の実施の形態４における多翼ファンを示す側面概略図、図１２はその斜視図、図１３はそのブレード詳細図である。実施の形態１乃至３のいずれかと同一部分は同一番号を付し、詳細な説明は省略する。
【００６６】
図１１〜図１３に示すように、吸込口側ブレード８と吸込口側と反対側に配設された複数のブレード９とで、ブレード内径を、主板７の軸方向の上下で異なった大きさとしている。即ち、吸込口側と反対側に配設された複数のブレードの内径Ｄ３は、吸込口側ブレード８の内径Ｄ８より大きくしている。また吸込口側ブレードの内径Ｄ８と吸込口側ブレードおよび吸込口側と反対側に配設されたブレードの外径Ｄ２の割合は一般的な割合である０．８５に設定されている。その他は、実施の形態１と同じである。
【００６７】
上記構成において、電動機５により多翼ファン１が回転方向Ｒの方向に回転すると、吸込口２より吸込んだ空気流は多翼ファン１に入り、吸込口側ブレード８および吸込口側と反対側に配設された複数のブレード９により昇圧される。低圧高風量時には吸込んだ空気流は、吸込口側と反対側に配設された複数のブレード９に流れようとし、高圧少風量時には、吸込側に近い吸込口側ブレード８に流れようとする。
【００６８】
しかし、吸込口側と反対側に配設された複数のブレード９の中央部には、電動機５が設置されているので、吸込口２からの流れは、吸込口側と反対側に配設された複数のブレード９に流れにくい。しかし、吸込口側と反対側に配設された複数のブレードの内径Ｄ３は吸込口側ブレード８の内径Ｄ８より大きく、電動機５と吸込口側と反対側に配設された複数のブレード９の入口の間に十分な距離があるため、空気流が、スムーズに吸込口側と反対側に配設された複数のブレード９に入ってくる。
【００６９】
この結果、特に、流れが主板７側に流れ易い低圧高風量時には、吸込口側と反対側に配設された複数のブレード９も、有効に仕事をし、効率の良い多翼ファンとすることができる。
【００７０】
（実施の形態５）
図１４は本発明の実施の形態５における多翼ファンのブレード詳細図、図１５はその多翼ファンを示す正面図である。なお図１５の吸込口側ブレード８は、説明容易とするため、出口角が平均出口角β０となる部分のみの断面を図示したものである。実施の形態１乃至４のいずれかと同一部分は同一番号を付し、詳細な説明は省略する。
【００７１】
図１４および図１５に示すように、吸込口側ブレード８と吸込口側と反対側に配設された複数のブレード９は、その外径側の主板７の直径以上の部分で、遠心力により出口角が小さくなるように変形する材質を使用している。これにより、吸込口側ブレード８と吸込口側と反対側に配設された複数のブレード９は回転数が高速になるほど遠心力で撓み、出口角が小さくなる。その他は、実施の形態１と同じである。
【００７２】
多翼ファン１は、通常、低圧高風量時には、負荷は大きくなり、高圧低風量時には、負荷は小さくなる。この結果、同一電圧、同一電動機では、低圧高風量時には、回転数が小さくなり、高圧低風量時には、回転数が大きくなる。ここで、同電圧の電圧は、通常の商用電圧であり、例えば１００Ｖ、あるいは２００Ｖである。
【００７３】
上記構成において、電動機５により多翼ファン１が回転方向Ｒの方向に回転すると、当初低圧高風量のときには、回転数が低いが、多翼ファン１に圧力がかかりだすと回転数が上昇する。このとき、吸込口側ブレード８と吸込口側と反対側に配設された複数のブレード９の外径側の主板７の直径以上の部分が遠心力により変形し、吸込口側ブレード８と吸込口側と反対側に配設された複数のブレード９がそれぞれ高速時における吸込口側ブレード８ａ、高速時における吸込口側と反対側に配設されたブレード９ａの位置に移動する。これにより吸込口側ブレード８の平均出口角β０と吸込口側と反対側に配設された複数のブレード９の出口角β４は、それぞれ破線で示す平均出口角β０ａ、出口角β４ａのように小さくなる。出口角が小さくなると、負荷が小さくなり、ますます回転数が上昇する。高圧になればなるほど回転数が上昇するので遠心力も上昇し、吸込口側ブレード８の平均出口角β０や吸込口側と反対側に配設された複数のブレード９の出口角β４はますます小さくなり、ますます負荷が減少し、回転数の上昇が大きくなる。ブレード材質としては、強度を維持して遠心力により出口角が小さくなるように変形すればよく、例えば、０．３ｍｍ程度の薄肉のアルミなどの金属、あるいは、０．３ｍｍ程度のポリプロピレンなどの樹脂などが好適である。
【００７４】
この結果、低圧時と高圧時の同一電圧、同一電動機での回転数差はますます大きくなり、風量一定制御がより容易となる。
【００７５】
なお、吸込口側ブレード８と吸込口側と反対側に配設された複数のブレード９のどちらか一方のみが回転数が高速になるほど遠心力で変形し、出口角が小さくなる構成としても、効果は劣るが、低圧時と高圧時の同一電圧、同一電動機での回転数差はますます大きくなり、風量一定制御がより容易となる。
【産業上の利用可能性】
【００７６】
本発明は、主に天井に設置され、換気送風機器として使用される多翼ファンであって、風量一定制御を容易にすることが求められる用途に有用である。
【図面の簡単な説明】
【００７７】
【図１】本発明の実施の形態１の多翼ファンを示す側面概略図
【図２】本発明の実施の形態１の多翼ファンを示す斜視図
【図３】本発明の実施の形態１の多翼ファンのブレード詳細図
【図４】本発明の実施の形態１の多翼ファンを示す正面図
【図５】本発明の実施の形態２の多翼ファンを示す側面概略図
【図６】本発明の実施の形態２の多翼ファンを示す斜視図
【図７】本発明の実施の形態２の多翼ファンのブレード詳細図
【図８】本発明の実施の形態３の多翼ファンを示す側面概略図
【図９】本発明の実施の形態３の多翼ファンを示す斜視図
【図１０】本発明の実施の形態３の多翼ファンのブレード詳細図
【図１１】本発明の実施の形態４の多翼ファンを示す側面概略図
【図１２】本発明の実施の形態４の多翼ファンを示す斜視図
【図１３】本発明の実施の形態４の多翼ファンのブレード詳細図
【図１４】本発明の実施の形態５の多翼ファンのブレード詳細図
【図１５】本発明の実施の形態５の多翼ファンを示す正面図
【図１６】従来の多翼ファンを示す側面概略図
【図１７】従来の多翼ファンを示す正面図
【符号の説明】
【００７８】
１      多翼ファン
２      吸込口
３      吐出口
４      ケーシング
５      電動機
６      回転軸
７      主板
８      吸込口側ブレード
８ａ    高速時における吸込口側ブレード
９      吸込口側と反対側に配設された複数のブレード
９ａ    高速時における吸込口側と反対側に配設されたブレード
１０    側板
１１    通風穴
β１    入口角
β２    出口角
β０    平均出口角
β０ａ  平均出口角
β３    入口角
β４    出口角
β４ａ  出口角
β６    出口角
Ｄ      主板の直径
Ｄ１    吸込口側ブレードおよび吸込口側と反対側に配設されたブレードの内径
Ｄ２    吸込口側ブレードおよび吸込口側と反対側に配設されたブレードの外径
Ｄ３    吸込口側と反対側に配設されたブレードの内径
Ｄ８    吸込口側ブレードの内径
【図１】
2008031982.tif 000003
【図２】
2008031982.tif 000004
【図３】
2008031982.tif 000005
【図４】
2008031982.tif 000006
【図５】
2008031982.tif 000007
【図６】
2008031982.tif 000008
【図７】
2008031982.tif 000009
【図８】
2008031982.tif 000010
【図９】
2008031982.tif 000011
【図１０】
2008031982.tif 000012
【図１１】
2008031982.tif 000013
【図１２】
2008031982.tif 000014
【図１３】
2008031982.tif 000015
【図１４】
2008031982.tif 000016
【図１５】
2008031982.tif 000017
【図１６】
2008031982.tif 000018
【図１７】
2008031982.tif 000019